(57)【要約】【課題】  排水路を流れる排水の速度を遅くして水滴状の残水を減らすことができ、更に最後に残る膜状の残水を良好に吸い出して、排水能力を向上させることのできる衛生設備の排水構造を提供する。【解決手段】  排水勾配を有する排水路１２，１２，１２の下流端に略垂直な垂下壁部８ａが形成されてなる衛生設備において、水膜を切ることのできる高さの凸部１４を、各排水路１２，１２，１２中に、排水路１２から垂下壁部８ａに連続して形成させ、この凸部１４により排水速度を遅くして水滴状の残水を減らし、更に最後に残る膜状の残水の水膜を切って吸い出すことができる。【選択図】  図４
2006102070.tif 000002
【特許請求の範囲】
【請求項１】
排水勾配を有する排水路の下流端等に略垂直な垂下壁部が形成されてなる衛生設備において、水膜を切ることのできる高さの凸部を、前記排水路中に前記排水路から前記垂下壁部に連続して形成したことを特徴とする衛生設備の排水構造。
【請求項２】
前記衛生設備が浴室に設けられた洗面器台であり、前記排水路が前記洗面器台の上面に形成された溝であることを特徴とする請求項１に記載の衛生設備の排水構造。
【請求項３】
前記凸部の横幅寸法が１〜５ｍｍであることを特徴とする請求項１または請求項２に記載の衛生設備の排水構造。
【発明の詳細な説明】
【技術分野】
【０００１】
本発明は、洗面器台等の衛生設備における排水構造に関するものである。
【背景技術】
【０００２】
従来、例えば特許文献１には、上面が後側に向かって下り勾配に形成され、上面の水が後ろ側に導かれて排水される浴室用カウンターが開示されており、上面に後側に至るにつれて水を徐々に斜めに導く水誘導部が隆起状に形成されて、上面の水は水誘導部によって後側に至るにつれて緩やかに横方向に導かれ、分散している小さな水滴が結合されて大きくなり、良好に排水が行われるように構成されている。
【０００３】
また、特許文献２には、洗面器が載置可能なカウンターの上面に、洗い場に向け上昇傾斜する水勾配が形成されているとともに、洗い場側に向けて下降傾斜する排水案内流路が形成されている。
【特許文献１】特開２００４−２２２９６２号公報
【特許文献２】特開平１１−１０１０１０号公報
【発明の開示】
【発明が解決しようとする課題】
【０００４】
従来のような排水構造においても、排水路の下流端側では水が膜状になって残留することが多く見られ、このような水膜をも流し出すことのできる排水構造の出現が望まれていた。
【課題を解決するための手段】
【０００５】
本発明は上記従来の問題点に鑑み案出したものであって、排水路の下流端側に残る水膜をも良好に流し出して排水できる衛生設備の排水構造を提供することを目的とし、その請求項１は、排水勾配を有する排水路の下流端等に略垂直な垂下壁部が形成されてなる衛生設備において、水膜を切ることのできる高さの凸部を、前記排水路中に前記排水路から前記垂下壁部に連続して形成したことである。
【０００６】
また請求項２は、前記衛生設備が浴室に設けられた洗面器台であり、前記排水路が前記洗面器台の上面に形成された溝であることである。
【０００７】
また請求項３は、前記凸部の横幅寸法が１〜５ｍｍであることである。
【発明の効果】
【０００８】
本発明は、排水勾配を有する排水路の下流端等に略垂直な垂下壁部が形成されてなる衛生設備において、水膜を切ることのできる高さの凸部を、排水路中に排水路から垂下壁部に連続して形成したことにより、排水路の下流端側に凸部が形成されているため、凸部が障害物となって排水路内を流れる排水の速度が遅くなり、これにより水滴状の残水が連続して引っ張られることとなり、水滴状の残水を減らすことができるものとなる。
更に、凸部が最後に残る残水の水膜を切る作用をなし、水膜を垂下壁部側に吸い出して排水できるものとなる。
【０００９】
また、衛生設備が浴室に設けられた洗面器台であり、排水路が洗面器台の上面に形成された溝であることにより、洗面器台の上面に形成された溝内を排水が下流端に向かって流れ、下流端側に残った水膜状の残水は、凸部により水膜が切られて、良好に吸い出されて排水されることとなる。
【００１０】
また、凸部の横幅寸法が１〜５ｍｍであることにより、良好に凸部により排水路の下流端側に残る残水の水膜を切って流し出すことができるものとなる。
【実施例】
【００１１】
以下、本発明の実施例を図面に基づいて説明する。
図１は、浴室内に設けられた洗面器台の斜視構成図であり、図２は、洗面器台の拡大斜視構成図であり、また図３は、洗面器台の要部平面拡大構成図である。
【００１２】
浴室１内の浴槽２の側方には洗い場３が形成され、この洗い場３側の壁４にはカウンター５が横設されており、下部には水栓６が設けられ、その下方に、洗面器１５を置くことのできる載置面８が形成された洗面器台７が横設され、この洗面器台７の洗い場３側の端部は略垂直な垂下壁部８ａとなっている。
【００１３】
この洗面器台７の載置面８の外側は、洗い場３側へ下り勾配のカウンター面９となっており、載置面８には、複数の山部１１，１１，１１が立ち上げ状に形成されて、各山部１１と山部１１間には溝状に排水路１２，１２が形成されている。
山部１１は、洗面器１５が洗い場３側へ落下しないように、立上片１０側に向かって下り勾配に形成されており、一方の排水路１２は、洗い場３側へ排水できるように、洗い場３側に向かって下り勾配に形成されている。
なお、載置面８の山部１１及び排水路１２の表面には、微細なシボ突起１３がエッチング等で形成されており、このシボ突起１３により水を膜状にして乾き易くするように構成されている。
【００１４】
本例においては、前記各排水路１２の排水路端１２ａの部分に、排水路１２から垂下壁部８ａに連続して凸部１４が立ち上げ状に形成されたものとなっている。この部分を拡大して図４に示し、更に図５には、１個の凸部１４の部分を拡大して説明する。
【００１５】
なお、図６は、排水路１２から垂下壁部８ａに連続して形成された凸部１４の側面拡大構成図である。この凸部１４は、排水路１２の横幅寸法が例えば２０ｍｍである場合に、横幅寸法ａが１〜５ｍｍに設定されており、好ましくは２ｍｍに設定しておくことができ、また、排水路１２側に排水方向に略１０ｍｍ程度の寸法ｂに延びており、また、垂下壁部８ａに沿って下方側へ５ｍｍ程度の寸法ｃで連続して形成されている。
なお、この凸部１４の排水路１２からの立ち上げ高さは、この排水路１２の排水路端１２ａ側に形成される水膜を切ることのできる程度の高さに設定されている。
【００１６】
例えば、凸部１４を、各排水路１２の排水路端１２ａ側の幅方向中央部に１個形成させておけば、各排水路１２内を洗い場３側に向かって流れる排水は、凸部１４が障害となって排水速度が遅くなることにより、上流側の水滴も良好に引っ張り、水滴が連続したものとなって排水でき、最終的に排水路端１２ａ側で水が膜状となるが、この膜状の残水を凸部１４により良好に切って、残水を垂下壁部８ａ側に良好に吸い出して排水することができるものとなり、残水が排水路１２に残ることがなく、排水路１２が極めて乾き易くなり、汚れも付き難くなるものである。
なお、このような凸部１４は、洗面器台７を成形する金型の一部を削り取って容易に形成させることができ、コストをかけずに凸部１４を各排水路１２に形成させることができるものとなる。
【００１７】
なお、図７は別例を示すものであり、図７では、カウンター１５に洗面器を置くことのできる洗面器台部１６が形成され、洗面器台部１６の左右両側面側及び壁４側に回り込んで排水路１７が形成されており、洗面器台部１６の洗い場３側は、略垂直な垂下壁部１６ａとなっている。
【００１８】
本例においても、排水路１７の左右の排水路端１７ａ，１７ａに凸部１４を一体形成させておくことができ、この凸部１４は排水路１７から垂下壁部１６ａに連続して形成され、排水路端１７ａ側へ流れる排水の速度をこの凸部１４で遅くして、水滴状の残水を減らすことができ、更に膜状の残水も、この凸部１４で切断して吸い出し、排水機能を向上させることができるものである。
【００１９】
更に、図８では別例を示し、図８のカウンター１５には凹部１８が形成されており、この凹部１８から、洗い場３側に向かって排水路１９が形成されて、カウンター１５の洗い場３側は垂下壁部１５ａとなっており、排水路１９から垂下壁部１５ａに連続して凸部１４を一体形成させたものであり、本例においても、この凸部１４により排水路１９を流れる排水の速度を遅くして、水滴状の残水を減らすことができ、更に凸部１４により最後に残る残水の水膜を切って吸い出させて、良好に排水できるものである。
【００２０】
なお、本例では、洗面器台及びカウンターにおける排水構造を例示しているが、その他の衛生設備における排水構造においても、同様に排水路と垂下壁部間に連続する凸部を設けて、良好に残水を吸い出し、排水能力を向上させることができるものである。
【図面の簡単な説明】
【００２１】
【図１】浴室内に設置された洗面器台の斜視構成図である。
【図２】洗面器台の拡大斜視図である。
【図３】洗面器台の要部拡大平面構成図である。
【図４】洗面器台の載置面の拡大斜視図である。
【図５】先端に凸部を形成した排水路の拡大斜視図である。
【図６】凸部の側面拡大構成図である。
【図７】別例を示す洗面器台の斜視構成図である。
【図８】別例を示すカウンターの斜視構成図である。
【符号の説明】
【００２２】
１  浴室
３  洗い場
４  壁
７  洗面器台
８  載置面
８ａ  垂下壁部
１１  山部
１２  排水路
１２ａ  排水路端
１４  凸部
１５  カウンター
１５ａ  垂下壁部
１６  洗面器台部
１６ａ  垂下壁部
１７  排水路
１７ａ  排水路端
１８  凹部
１９  排水路
１９ａ  排水路端
【図１】
2006102070.tif 000003
【図２】
2006102070.tif 000004
【図３】
2006102070.tif 000005
【図４】
2006102070.tif 000006
【図５】
2006102070.tif 000007
【図６】
2006102070.tif 000008
【図７】
2006102070.tif 000009
【図８】
2006102070.tif 000010